(57)【要約】【課題】リデュース（Reduce：ごみの発生抑制）、リユース（Reuse：再使用）、リサイクル（Recycle：ごみの再生利用）の優先順位で廃棄物の削減に努める３Ｒ政策を推進するための情報を提供する。【解決手段】廃棄物のリサイクル施設又は処理処分施設において、搬入されたごみ及び資源ごみについて、発生自治体又は発生地域、発生事業者、ごみの種類又は区分、搬出回収する資源化物、搬出処分する処理残渣ごとに計量する計量器と、前記計量器による計量結果を、発生自治体又は発生地域、発生事業者、ごみの種類又は区分、搬出回収する資源化物、搬出処分する処理残渣ごとに、日、週、月又は年の時系列で集計するコンピュータと、集計データ及び３Ｒ推進に係る市民又は事業者の評価、具体的対応策、アドバイスをリアルタイムで提供するネットワーク通信手段を備える。【選択図】図４
2017041096.tif 000002
【特許請求の範囲】
【請求項１】
廃棄物のリサイクル施設又は処理処分施設において、搬入されたごみ及び資源ごみについて、発生自治体又は発生地域、発生事業者、ごみの種類又は区分、搬出回収する資源化物、搬出処分する処理残渣ごとに計量する計量器と、
前記計量器による計量結果を、発生自治体又は発生地域、発生事業者、ごみの種類又は区分、搬出回収する資源化物、搬出処分する処理残渣ごとに、日、週、月又は年の時系列で集計するコンピュータとを備える３Ｒ推進サポートシステム。
【請求項２】
前記コンピュータは、前記発生自治体又は発生地域ごとの人口のデータを予め記憶し、当該データを用いて前記コンピュータによる集計結果からひとりあたりのごみ排出量又はリサイクル率を算出することを特徴とする請求項１記載の３Ｒ推進サポートシステム。
【請求項３】
前記コンピュータは、ネットワーク通信手段を備え、
前記コンピュータによる集計結果に基づき、ごみ又は資源ごみの排出状況、目標の達成又は未達成状況を表示する図表を生成するとともに、過去の実績との差異や、他自治体、他地域との比較やランキングの表示、目標達成状況の評価、目標との差異、当該実績に基づくトレンド予測の表示、各種資源ごみ潜在量に基づく資源回収伸び代見込みに基づく３Ｒ推進に当たっての市民又は事業者への評価、具体的対応策又はアドバイスを生成し、
前記図表、及び、前記評価、具体的対応策又はアドバイスを、インターネットを介してリアルタイムで提供することを特徴とする請求項１記載の３Ｒ推進サポートシステム。
【発明の詳細な説明】
【技術分野】
【０００１】
本発明は、（１）リデュース（Reduce：ごみの発生抑制）、（２）リユース（Reuse：再使用）、（３）リサイクル（Recycle：ごみの再生利用）の優先順位で廃棄物の削減に努める我が国の３Ｒ政策に取り組む市町村及び事業者をサポートする３Ｒ推進サポートシステムに関するものである。
【背景技術】
【０００２】
廃棄物のリサイクル施設や処理処分施設等において、搬入されたごみ、資源ごみの発生地、種類・区分ごとの計量データ、搬出回収する資源化物の計量データ等は、定期的に集計され、発生自治体や発生地域の月、年単位などの集計データとして公表されるが、その公表時期は月単位データも年単位データも数ヶ月遅れから翌年度以降になってからと遅い。
【０００３】
また、環境省が一般廃棄物行政の推進に関する基礎資料を得ることを目的として、全国の自治体に対し「一般廃棄物処理事業実態調査」を行っているが、その統計結果は調査対象年度の翌年度末と遅い。３Ｒ推進のためには調査、統計及び結果公表の迅速化が望まれている。
【発明の概要】
【発明が解決しようとする課題】
【０００４】
従来、リサイクル施設や処理処分施設等の計量器等で計量されたごみや資源ごみのデータは、集計手間や確認手間を要することもあり、公表時期が月単位データも年単位データも数ヶ月遅れから翌年度末の公表と遅いため、単なる結果報告となっているが、計量データを３Ｒ推進に活かすためには、できるだけ速く公表・周知し市民や事業者の３Ｒ推進へのモチベーションとすることが課題である。
【０００５】
また、３Ｒ推進の効果を上げるためには、ごみや資源ごみの様々な区分計量データだけでなく、過去の実績や、他自治体、他地域との比較評価・ランキング、ごみ種類ごとの減量可能量、資源ごみごとの回収量の伸び代等具体的対応策やアドバイスを公表・周知し、３Ｒ推進や目標達成に対する市民、事業者の具体的取組内容、取組量の程度を明らかにすることも課題である。
【０００６】
本発明は、このような課題に鑑みなされたもので、市民や事業者の３Ｒ推進へのモチベーション向上や継続を促進させ、３Ｒ推進の効果を上げるために、廃棄物のリサイクル施設や処理処分施設等において、搬入されたごみ、資源ごみの様々な区分計量データ、過去の実績や他自治体、他地域との比較評価・ランキング、減量化やリサイクル率を達成しているもしくは達成していない具体的なごみの種類・区分の表示、ごみの種類・区分ごとの減量可能量や資源ごみごとの回収量の伸び代等具体的取組内容やアドバイス、各種情報、データをリアルタイムでインターネットワーク上に公表したり、広報誌の方法で当該市民や事業者に広く周知できる３Ｒ推進サポートシステムを提供する。
【課題を解決するための手段】
【０００７】
本発明は上記課題を解決するため、次のような手段を採用した。
【０００８】
廃棄物のリサイクル施設や処理処分施設等において、搬入されたごみ、資源ごみを計量器で計量し、発生自治体や発生地域、大量発生事業者ごと、ごみの種類・区分ごとの計量データ、搬出回収する資源化物や搬出処分する処理残渣も計量器で計量しそれぞれの計量データを得る。
【０００９】
計量データは、計量器と連動したコンピュータにより発生自治体や発生地域、大量発生事業者ごと、ごみの種類・区分ごと、搬出回収する資源化物や搬出処分する処理残渣ごと、日、週、月、年ごとに集計される。
【００１０】
集計された計量データは、当該発生自治体や発生地域ごとの人口を用いて１人１日当たりのごみ排出量原単位やリサイクル率等も算出される。
【００１１】
計量器と連動したコンピュータにより算出されたごみ排出量原単位やリサイクル率等は、市民や事業者に対しごみや資源ごみの排出状況、目標の達成・未達成状況等をわかりやすく図表等も用いて表示するとともに、過去の実績との差異や、他自治体、他地域との比較やランキングの表示、目標達成状況の評価、目標との差異、当該実績に基づくトレンド予測の表示、各種資源ごみ潜在量に基づく資源回収伸び代見込み等に基づく３Ｒ推進に当たっての市民や事業者への評価や具体的対応策、アドバイスがリアルタイムでインターネットワーク上に表示公表及び周知される。
【００１２】
本発明に係る３Ｒ推進サポートシステムによれば、廃棄物のリサイクル施設や処理処分施設等において、搬入されたごみ、資源ごみの発生地、種類・区分ごとの計量データ、搬出回収する資源化物ごとの計量データ等について、発生自治体や発生地域、大量発生事業者ごとの日、週、月、年単位の集計データをリアルタイムでインターネットワーク上に公表したり、広報誌の方法で当該市民や事業者に広く周知し、当該市民や事業者がごみの発生量や減量化、目標達成状況を確認できることで、３Ｒのモチベーション向上や継続を促進できる。
【００１３】
本発明に係る３Ｒ推進サポートシステムによれば、上記３Ｒ推進サポートシステムにおいて、発生自治体や発生地域、大量発生事業者ごとに得られる搬入されたごみ、資源ごみの発生地、種類など区分ごとの計量データ、搬出回収する資源化物ごとの計量データから得られるごみ排出量原単位データ等を、過去のデータや全国、各都道府県、他自治体、他地域との比較やランキングの表示、目標達成状況の評価、目標との差異や当該発生状況で推移した場合の予測の表示、リサイクル等の状況、減量化やリサイクル率を達成しているもしくは達成していない具体的なごみの種類・区分の表示、これらに基づく３Ｒ推進に当たっての市民や事業者への評価や具体的対応策、アドバイスの表示、３Ｒ実施状況に関する各種情報やデータを併せて公表・周知することで、３Ｒ推進効果の向上を可能とする。
【発明の効果】
【００１４】
本発明は、以上の手段を備えることから、当該市民や事業者の３Ｒ推進へのモチベーション向上や継続を促進させるとともに、３Ｒ推進の効果を上げることが可能となる。
【図面の簡単な説明】
【００１５】
【図１】廃棄物のリサイクル施設や処理処分施設等において、搬入されたごみ、資源ごみの種類・区分ごとの毎日の計量データの当月実績集計表の例を示す図である。
【図２】図１の当月実績集計表で集計されたデータの内、毎日のごみ総排出量実績を表す図の一例である。
【図３】廃棄物のリサイクル施設や処理処分施設等において、搬入されたごみ、資源ごみの種類・区分ごとの毎月の計量データ、ごみ排出量原単位の当年実績集計表の例を示す図である。
【図４】図３の当年実績集計表で集計されたデータの内、毎月のごみ総排出量実績と予測を表す図の一例である。
【図５】図３の当年実績集計表で集計されたデータの内、毎月のごみ排出量原単位の実績と予測を表す図の一例である。
【図６】図３の当年実績集計表で集計されたデータの内、当該自治体と、当該自治体を構成する複数の地域の毎月のごみ排出量原単位の実績を表す図の一例である。
【図７】図３の当年実績集計表で集計されたデータの内、ごみ中区分の当月累計を期中目標と比較して表す図の一例である。
【図８】図３の当年実績集計表で集計されたデータの内、ごみ小区分の当月累計を期中目標と比較して表す図の一例である。
【図９】廃棄物のリサイクル施設や処理処分施設等において、リサイクルされた資源ごみの種類・区分ごとの毎月の計量データ、リサイクル率の当年実績集計表の例を示す図である。
【図１０】図９の当年実績集計表で集計されたデータの内、資源ごみ大区分の当月累計を期中目標と比較して表す図の一例である。
【図１１】図９の当年実績集計表で集計されたデータの内、資源ごみ小区分の当月累計を期中目標と比較して表す図の一例である。
【図１２】図９の当年実績集計表で集計されたデータの内、毎月のリサイクル率の実績と予測を表す図の一例である。
【図１３】図９の当年実績集計表で集計されたデータの内、当該自治体と、当該自治体を構成する複数の地域の毎月のリサイクル率の実績を表す図の一例である。
【図１４】図９の当年実績集計表で集計されたデータの内、当該自治体の毎月のリサイクル率、ごみ排出源単位の実績について、既知の全国データにおけるランキングを表す図の一例である。
【発明を実施するための形態】
【００１６】
本発明の実施の形態に係るシステムは、計量器、コンピュータ及びネットワーク通信手段を備える。
【００１７】
計量器は、廃棄物のリサイクル施設又は処理処分施設において、搬入されたごみ及び資源ごみについて、発生自治体又は発生地域、発生事業者、ごみの種類又は区分、搬出回収する資源化物、搬出処分する処理残渣ごとに計量する。
【００１８】
コンピュータは、前記計量器による計量結果を、発生自治体又は発生地域、発生事業者、ごみの種類又は区分、搬出回収する資源化物、搬出処分する処理残渣ごとに、日、週、月又は年の時系列で集計する。
【００１９】
前記コンピュータは、ネットワーク通信手段により以下に説明するような図表、及び、評価、具体的対応策又はアドバイスを、インターネットを介してリアルタイムで提供する。
【００２０】
廃棄物のリサイクル施設や処理処分施設等において、搬入されたごみ、資源ごみの発生地、種類・区分ごとの計量データ、搬出回収する資源化物の計量データ等は、定期的に集計され、発生自治体や発生地域の月、年単位などの集計データとして公表されるが、従来の公表時期は月単位データも年単位データも数ヶ月遅れから翌年度以降になってからと遅く、単なる結果報告となっていた。これに対し、本発明の実施の形態ではインターネットにより、図表、評価、具体的対応策又はアドバイスがリアルタイムで一般市民に公表され、３Ｒのインセンティブにつながる。
【００２１】
なお、自治体によっては、計量データをチェックした後でなければ公表できない、あるいは月単位データでなければ公表できない場合もあるが、その場合でも本発明の実施の形態に係る図表、及び、評価、具体的対応策又はアドバイスの提供を行うことは有効である。
【００２２】
以下、本発明の実施の形態に係るシステムにより提供される図表、及び、評価、具体的対応策又はアドバイスについて、添付図面を参照しながら説明する。図１は廃棄物のリサイクル施設や処理処分施設等において、搬入されたごみ、資源ごみの種類・区分ごとの毎日の計量データの当月実績集計表の例を示す図である。当月実績集計表は、当該自治体のごみの種類・区分に併せ項目を見直すことは言うまでもない。
【００２３】
廃棄物のリサイクル施設や処理処分施設等において、搬入されたごみ、資源ごみを計量器で計量し、発生自治体や発生地域、大量発生事業者ごと、ごみの種類・区分ごとの計量データは、計量器と連動したコンピュータにより図１の毎日の当月実績集計表に整理集計する。
【００２４】
また、図１の当月実績集計表には、当該発生自治体や発生地域ごとに、ごみの種類・区分ごとの月間目標をあらかじめ登録表示しておくと共に、当該日までの期中目標や、当該区分ごみの期中累計と期中目標との差異、期中目標に対する増減率が算出、表示される。期中目標を超過したごみ種類やごみ区分項目の差異と増減率の欄は、他の欄と区別できるように強調表示される（例えば他の欄と異なる色で表示する）ことで、市民や事業者への３Ｒ推進の啓発につながる。
【００２５】
図２は、図１の当月実績集計表に連動し毎日のごみ総排出量の期中累計を表示した当月実績のグラフの例を示す図である。ごみ総排出量の期中累計を棒グラフとし、当該日までの期中目標と前年度の同月実績を折れ線グラフで記入。ごみ総排出量の期中累計が当該日までの期中目標を超過した場合は、黒塗り部分Ａのように棒グラフを異なる色で表示することで、市民や事業者への３Ｒ推進の啓発につながる。
【００２６】
図３は、図１の当月実績集計表に対し、搬入されたごみ、資源ごみの種類・区分ごとの毎月の計量データを計量器と連動したコンピュータにより毎月の計量データの当年実績集計表の例を示す図である。この当年実績集計表も、当該発生自治体や発生地域ごとに、ごみの種類・区分ごとの年間目標をあらかじめ登録表示しておくと共に、当該月までの期中目標や、当該区分ごみの期中累計と期中目標との差異、期中目標に対する増減率が算出、表示される。期中目標を超過したごみ種類やごみ区分の差異と増減率の欄は、他の欄とは異なる色で強調表示されることで、市民や事業者への３Ｒ推進の啓発につながる。
【００２７】
図３の当年実績集計表には、当該自治体や当該地域のごみの計画収集人口をあらかじめ記載し、生活系ごみや事業系ごみ、両方を合わせたごみ総排出量を計画収集人口で除すなど演算することにより、生活系ごみや事業系ごみ、両方を合わせたごみ総排出量のごみ排出量原単位（1人1日当たりごみ排出量）を算出表示する。また、ごみ排出量原単位の年間目標もあらかじめ登録表示しておくと共に、当月累計の３つのごみ排出量原単位と、その年間目標との差異、年間目標に対する増減率が算出、表示される。年間目標を超過した３つのごみ排出量原単位の差異と増減率の欄は、他の欄と区別できるように強調表示される（例えば他の欄と異なる色で表示する）ことで、市民や事業者への３Ｒ推進の啓発につながる。
【００２８】
図４は、図３の当年実績集計表に連動し毎月のごみ総排出量の当月累計を表示した当年実績のグラフの例を示す図である。ごみ総排出量の当月累計を棒グラフとし、各月までの期中目標と前年度の同年実績を折れ線グラフで記入。ごみ総排出量の期中累計が当月までの期中目標を超過した場合は、黒塗り部分Ｂのように棒グラフを異なる色で強調表示されることで、市民や事業者への３Ｒ推進の啓発につながる。
【００２９】
図５は、図３の当年実績集計表に連動し当月の累計ごみ排出量原単位を表示した当年実績のグラフの例を示す図である。ごみ排出量原単位の当月累計を棒グラフとし、当該自治体、我が国、当該都道府県のごみ排出量原単位の減量目標をレベル線で記入。ごみ排出量原単位の当月累計が当該自治体のごみ排出量原単位の減量目標を超過した場合は、黒塗り部分Ｃのように棒グラフを異なる色で強調表示されることで、市民や事業者への３Ｒ推進の啓発につながる。
【００３０】
図６は、図３の当年実績集計表に連動し当月の累計ごみ排出量原単位の当年実績を示し、当該自治体を構成する複数の地域の当月の累計ごみ排出量原単位を同時に表示するグラフの例を示す図である。ごみ排出量原単位の当月累計は、当該自治体と構成各地域を異なる種類の折れ線グラフとし、当該自治体のごみ排出量原単位の減量目標をレベル線で記入。ごみ排出量原単位の当月累計を当該自治体と複数の地域を併せて表示し、当該自治体が目標を達成しているか、当該地域が目標を達成しているか、当該地域が他の地域と比較できることで、市民や事業者への３Ｒ推進の啓発につながる。
【００３１】
図７は、図３の当年実績集計表に連動し、ごみ中区分ごとの当月累計の期中目標と比較した増減率を表示した当年実績のグラフの例を示す図である。ごみ中区分ごとの増減率をレーダーチャートとし、当月までの期中目標は０で、当該ごみ中区分項目が期中目標を超過した場合はプラスの増減率、下回る場合はマイナスの増減率が記入される。期中目標と比較した増減率をごみ中区分全項目同時に表示することで、ごみ総排出量の期中累計が当月までの期中目標を超過した場合、もしくは下回った場合において、要因となるごみ中区分項目が一目で明らかになることで、市民や事業者への３Ｒ推進の啓発につながる。
【００３２】
図８は、図３の当年実績集計表に連動し、当該ごみ中区分を構成するごみ小区分ごとの当月累計の期中目標と比較した増減率を表示した当年実績のグラフの例を示す図である。ごみ小区分ごとの増減率をレーダーチャートとし、当月までの期中目標は０で、当該ごみ小区分項目が期中目標を超過した場合はプラスの増減率、下回る場合はマイナスの増減率が記入される。期中目標と比較した増減率をごみ小区分全項目同時に表示することで、ごみ中区分項目の期中累計が当月までの期中目標を超過した場合、もしくは下回った場合において、要因となるごみ小区分項目が一目で明らかになることで、市民や事業者への３Ｒ推進の啓発につながる。
【００３３】
図９は、図３の当年実績集計表の内、搬入された資源ごみの小区分ごとの毎月の計量データ、廃棄物のリサイクル施設や処理処分施設等において選別後計量された資源ごみ小区分ごとの計量データを、計量器と連動したコンピュータにより集計整理された資源ごみの回収実績集計表の例を示す図である。この資源ごみ回収実績集計表にも当該発生自治体や発生地域のごみの種類・区分ごとの年間目標をあらかじめ登録表示しておくと共に、当月までの期中目標や、当該区分ごみの期中累計と期中目標との差異、期中目標に対する増減率が算出、表示される。期中目標を下回ったごみ種類やごみ区分の差異と増減率の欄は、他の欄とは異なる色で表示強調されることで、市民や事業者への３Ｒ推進の啓発につながる。
【００３４】
図１０は、図９の資源ごみ回収実績集計表に連動し、資源ごみ大区分ごとの当月累計の期中目標と比較した増減率を表示した当年実績のグラフの例を示す図である。資源ごみ大区分ごとの増減率をレーダーチャートとし、当月までの期中目標は０で、当該資源ごみ大区分項目が期中目標を超過した場合はプラスの増減率、下回る場合はマイナスの増減率が記入される。期中目標と比較した増減率を資源ごみ大区分全項目同時に表示することで、資源ごみ回収量の期中累計が当月までの期中目標を超過した場合、もしくは下回った場合において、要因となる資源ごみ大区分項目が一目で明らかになることで、市民や事業者への３Ｒ推進の啓発につながる。
【００３５】
図１１は、図９の資源ごみ回収実績集計表に連動し、資源ごみ大区分を構成する資源ごみ小区分ごとの当月累計の期中目標比較した増減率を表示した当年実績のグラフの例を示す図である。資源ごみ小区分ごとの増減率をレーダーチャートとし、当月までの期中目標は０で、当該資源ごみ小区分項目が期中目標を超過した場合はプラスの増減率、下回る場合はマイナスの増減率が記入される。期中目標と比較した増減率を資源ごみ小区分全項目同時に表示することで、資源ごみ大区分項目の期中累計が当月までの期中目標を超過した場合、もしくは下回った場合において、要因となる資源ごみ小区分項目が一目で明らかになることで、市民や事業者への３Ｒ推進の啓発につながる。
【００３６】
図１２は、図９の資源ごみ回収実績集計表に連動し当月の累計リサイクル率を表示した当年実績のグラフの例を示す図である。当月の累計リサイクル率を折れ線グラフとし、当該自治体、我が国、当該都道府県のリサイクル率の目標をレベル線で記入。当月の累計リサイクル率の予測が表示されることで、市民や事業者への３Ｒ推進の啓発につながる。
【００３７】
図１３は、図９の資源ごみ回収実績集計表に連動し当月の累計リサイクル率を示し、当該自治体を構成する複数の地域の当月の累計リサイクル率を同時に表示するグラフの例を示す図である。資源ごみの累計リサイクル率は、当該自治体と構成各地域を異なる種類の折れ線グラフとし、当該自治体のリサイクル率の目標をレベル線で記入。資源ごみの累計リサイクル率を当該自治体と複数の地域を併せて表示し、当該自治体が目標を達成しているか、当該地域が目標を達成しているか、当該地域が他の地域と比較できることで、市民や事業者への３Ｒ推進の啓発につながる。
【００３８】
図１４は、図３の当年実績集計表の当月累計ごみ総排出量原単位と、図９の資源ごみの当月累計リサイクル率について、既知の全国自治体の同データに対するランキングを表示するグラフの例を示す図である。当該自治体や当該地域の当月累計ごみ総排出量原単位及び資源ごみの当月累計リサイクル率について、全国及び当該都道府県内の自治体の中でのランキングにより、市民や事業者への３Ｒ推進の啓発につながる。
【００３９】
図１から図１４は、当該自治体の３Ｒ推進サポート方針に併せて図表を選択もしくは追加して、インターネットワーク上に表示公表及び周知する。
【００４０】
本発明は、以上の実施の形態に限定されることなく、特許請求の範囲に記載された発明の範囲内で、種々の変更が可能であり、それらも本発明の範囲内に包含されるものであることは言うまでもない。
【図１】
2017041096.tif 000003
【図２】
2017041096.tif 000004
【図３】
2017041096.tif 000005
【図４】
2017041096.tif 000006
【図５】
2017041096.tif 000007
【図６】
2017041096.tif 000008
【図７】
2017041096.tif 000009
【図８】
2017041096.tif 000010
【図９】
2017041096.tif 000011
【図１０】
2017041096.tif 000012
【図１１】
2017041096.tif 000013
【図１２】
2017041096.tif 000014
【図１３】
2017041096.tif 000015
【図１４】
2017041096.tif 000016